(57)【要約】【課題】誘導灯など室内の天井面や壁面などに取り付け、表示パネルを発光させる照明装置を小型化するとともに、取り付けなどの作業の効率を高くする。【解決手段】本体枠１１１は、中空の略直方体状であり、前面が略全面にわたって開口した外枠部２００と、外枠部２００の内部に設けられた第二水平部３０４であって、光源を点灯するための電力を蓄積するバッテリーであって係合凹部が設けられたバッテリーを載せる第二水平部３０４とを備え、第二水平部３０４は、バッテリーを乗せる面から突出したバッテリー支持部３７１を備え、バッテリー支持部３７１がバッテリーの係合凹部と係合する。【選択図】図４
2014139952.tif 000002
【特許請求の範囲】
【請求項１】
光源と、本体枠とを備える照明装置において、
上記光源が照射した光を入射して発光する平板状の表示パネルを有する表示ユニットを備え、
上記本体枠は、
中空の略直方体状であり、前面が略全面にわたって開口した外枠部と、
上記外枠部の内部に設けられた水平部であって、上記光源を点灯するための電力を蓄積するバッテリーであって係合凹部が設けられたバッテリーを載せる水平部と
を備え、
上記水平部は、
上記バッテリーを乗せる面から突出したバッテリー支持部を備え、上記バッテリー支持部が上記バッテリーの上記係合凹部と係合することを特徴とする照明装置。
【請求項２】
上記外枠部の前面の開口を閉塞する位置に上記表示ユニットを着脱可能に取り付ける表示ユニット取付部と、
上記表示ユニット取付部に取り付けた上記表示ユニットを取り外したとき、上記バッテリーを保持して上記バッテリーが前方向へ動くのを防ぐバッテリー前面保持部と
を備えることを特徴とする請求項１に記載の照明装置。
【請求項３】
上記本体枠は、上記外枠部の内側の空間を複数の空間に仕切る仕切板を有し、
上記水平部は、上記仕切板の一部であることを特徴とする請求項１または２に記載の照明装置。
【請求項４】
上記バッテリー前面保持部は、上記外枠部から内側に突出して設けられることを特徴とする請求項１〜３のいずれかに記載の照明装置。
【請求項５】
請求項１〜４のいずれかに記載の照明装置であって、上記表示パネルは、避難誘導の図柄を示すことを特徴とする誘導灯。
【発明の詳細な説明】
【技術分野】
【０００１】
この発明は、誘導灯など、室内の天井面や壁面などに取り付け、表示パネルを発光させる照明装置に関する。
【背景技術】
【０００２】
誘導灯など、室内の天井面や壁面などに取り付けて使用し、表示パネルを発光させる照明装置がある。
このような照明装置には、天井面や壁面に点灯装置などを埋め込む埋め込み型のものもあるが、施工などを容易にするため、室内に露出した本体内に納めたタイプの照明装置も存在する。
また、誘導灯などには、室内のいずれの位置からでも表示パネルが見えるよう、両面に表示パネルを有するもの（いわゆる両面灯）がある。
近年、誘導灯などの照明装置の光源として、ＬＥＤを用いたものが出てきている。
【先行技術文献】
【特許文献】
【０００３】
【特許文献１】特開２００５−７７８００号公報
【特許文献２】特開２０００−１４９６２６号公報
【特許文献３】実開平３−７７３１２号公報
【発明の概要】
【発明が解決しようとする課題】
【０００４】
室内に露出した本体内に点灯装置などを納めた照明装置を小型化するため、本体を薄くすることが望まれる。
また、このような照明装置の取り付けや部品の交換などの作業を効率化することが望まれる。
更に、ＬＥＤなどの光源は、発熱により寿命が短くなるので、放熱効率を高くすることが望まれる。
この発明は、例えば、上記のような課題を解決するためになされたものであり、小型で、作業効率がよく、放熱効率が高い照明装置を得ることを目的とする。
【課題を解決するための手段】
【０００５】
この発明にかかる照明装置は、光源と、本体枠とを備える照明装置において、上記光源が照射した光を入射して発光する平板状の表示パネルを有する表示ユニットを備え、上記本体枠は、中空の略直方体状であり、前面が略全面にわたって開口した外枠部と、上記外枠部の内部に設けられた水平部であって、上記光源を点灯するための電力を蓄積するバッテリーであって係合凹部が設けられたバッテリーを載せる水平部とを備え、上記水平部は、上記バッテリーを乗せる面から突出したバッテリー支持部を備え、上記バッテリー支持部が上記バッテリーの上記係合凹部と係合することを特徴とする。
【発明の効果】
【０００６】
この発明にかかる照明装置によれば、前方が表示ユニットと略同じ大きさに大きく開口した外枠部の内側を、仕切板が複数の空間に仕切り、電気部品を外枠部だけでなく仕切板にも取り付けるので、多くの電気部品を取り付けることができるとともに、照明装置の歪みや反りを防止することができる。これにより、照明装置を小型化でき、部品交換などの作業を効率化することができる。
【図面の簡単な説明】
【０００７】
【図１】実施の形態１における誘導灯１００の全体構成を示す斜視図。
【図２】実施の形態１における誘導灯１００の内部構成を示す分解斜視図。
【図３】実施の形態１における本体枠１１１の形状を示す斜視図。
【図４】実施の形態２における本体枠１１１の形状を示す斜視図。
【図５】実施の形態２における壁面取付部品５００の構造及び使用態様を示す斜視図。
【図６】実施の形態３における本体枠１１１の形状の変形例を示す斜視図。
【図７】実施の形態３における本体枠１１１の形状の他の変形例を示す斜視図。
【図８】実施の形態３における本体枠１１１の形状の更に他の変形例を示す斜視図。
【発明を実施するための形態】
【０００８】
実施の形態１．
実施の形態１について、図１〜図３を用いて説明する。
【０００９】
図１は、この実施の形態における誘導灯１００の全体構成を示す斜視図である。
誘導灯１００（照明装置）は、部屋の天井面などに直付けして使用する両面灯であり、非常口などを示す図柄を表示する。
誘導灯１００は、本体１１０、表示ユニット１２０、ランプホルダユニット１３０、天井面取付金具１９０を備える。
【００１０】
表示ユニット１２０は、表面に非常口などを示す図柄（図示せず）が見えるように配置されている。表示ユニット１２０は、本体１１０の前面側（図の手前側）と後面側（図の奥側、第二表示ユニット）にそれぞれ１つずつ配置されている。
ランプホルダユニット１３０は、光源を内蔵する。ランプホルダユニット１３０は、前面側及び後面側の表示ユニット１２０それぞれの上部に１つずつ配置されている。
表示ユニット１２０は、ランプホルダユニット１３０が内蔵する光源が照射した光を上端から入射し、入射した光により、印刷された非常口などを示す図柄が発光する。
本体１１０は、ランプホルダユニット１３０が内蔵する光源を発光させるための電力を供給するために必要な電気部品などを内蔵する。
天井面取付金具１９０は、本体１１０を天井面などに固定するための金具である。
【００１１】
図２は、この実施の形態における誘導灯１００の内部構成を示す分解斜視図である。
【００１２】
表示ユニット１２０は、表側に表示パネル１２３、裏側に係合部１２２、突出部１２５を有する。
表示パネル１２３は、非常口などを示す避難誘導の図柄が印刷されたアクリル樹脂製の平らな板である。なお、誘導灯１００を照明装置あるいは表示装置として使用する場合には、表示パネル１２３に印刷された図柄が非常口などを示すものでなくてもよい。
表示ユニット１２０は、例えば、内部にアクリル樹脂製の導光板や反射シートを有し、上端から入射した光を導光板や反射シートが屈折あるいは反射して、表示パネル１２３を均一に発光させる。
係合部１２２は、表示ユニット１２０裏面の左右に２つずつあり、本体１１０と係合して、表示ユニット１２０を本体１１０に固定する。
突出部１２５は、表示ユニット１２０裏面の左右及び下の三方の外周に沿って裏面に対して垂直方向に突出している。突出部１２５は、本体１１０と表示ユニット１２０との隙間から光が漏れないようにするとともに、表示ユニット１２０を補強する。また、表示ユニット１２０を本体１１０に取り付けたとき、突出部１２５は、本体枠１１１と係合し、本体枠１１１の歪みを防止する役割を果たす。
【００１３】
ランプホルダユニット１３０は、裏側に係合部１３２，１３４を有する。
係合部１３２は、本体１１０と係合して、ランプホルダユニット１３０を本体１１０に固定する。
係合部１３４は、表示ユニット１２０表面に設けられた係合部１２４と係合する。本体１１０に表示ユニット１２０を取り付けたのちにランプホルダユニット１３０を本体１１０に取り付けると、係合部１２４と係合部１３４とが係合して、表示ユニット１２０とランプホルダユニット１３０との位置関係が固定され、表示ユニット１２０及びランプホルダユニット１３０が本体１１０にしっかりと固定される。
なお、表示ユニット１２０を本体１１０に取り付けたのちにランプホルダユニット１３０を本体１１０に取り付けるのではなく、ランプホルダユニット１３０を表示ユニット１２０に取り付けたのち、係合部１２４と係合部１３４とが係合することにより一体化した表示ユニット１２０及びランプホルダユニット１３０を、本体１１０に固定してもよい。
【００１４】
天井面取付金具１９０は、配線孔１９１、固定穴１９２、取付ネジ１９３を有する。
配線孔１９１は、電源線などを本体１１０内に引き入れる穴である。
固定穴１９２は、天井面取付金具１９０を天井面などに固定するネジなどが通る穴である。
取付ネジ１９３は、天井面取付金具１９０に本体１１０を固定するネジである。
【００１５】
本体１１０は、筐体である本体枠１１１と、本体枠１１１の内側に内蔵された端子台１４０、バッテリー１５０、点灯装置１６０、点検スイッチ１７０などの電気部品とを有する。
本体枠１１１は、中空略直方体状（四角筒、額縁状）であり、前面（所定方向）及び後面（所定方向と反対の方向）がほぼ全面にわたり大きく開口している。本体枠１１１の前面及び後面は、表示ユニット１２０とほぼ同じ大きさであり、本体枠１１１の前面開口（一方の開口）及び後面開口（他方の開口）も、表示ユニット１２０とほぼ同じ大きさである。
【００１６】
端子台１４０は、電源線や誘導灯１００内部の配線を接続する。
端子台１４０は、電線挿入口１４１、ドライバー挿入口１４２を有する。
電線挿入口１４１は、電源線や誘導灯１００内部の配線のための電線を挿入する穴である。電線挿入口１４１に挿入した電線は、端子台１４０内部のバネなどにより固定され、端子台１４０内部の配線と電気的に接続する。
ドライバー挿入口１４２は、電線挿入口１４１に電線を挿入する場合や、電線挿入口１４１に挿入した電線を抜く場合などに、ドライバーの先端を挿入し、端子台１４０内部のバネなどを緩めることにより、電線の付け外しを可能にする。
【００１７】
バッテリー１５０は、通常時には、点灯装置１６０から電力の供給を受けて充電し、停電時には、充電した電力を点灯装置１６０に供給する充電池である。
点灯装置１６０は、ランプホルダユニット１３０が内蔵する光源を点灯させる回路を内蔵している。通常時には、配線孔１９１から引き入れられた電源線から商用電源などの電力の供給を受けて、ランプホルダユニット１３０が内蔵する光源を点灯するとともに、バッテリー１５０に電力を供給してバッテリー１５０を充電する。停電時には、バッテリー１５０から電力の供給を受けて、ランプホルダユニット１３０が内蔵する光源を点灯する。
【００１８】
点検スイッチ１７０は、誘導灯１００が正常に非常点灯できるかを点検するためのボタンスイッチや、誘導灯１００の状態（例えば、バッテリー１５０の充電状態やランプの状態など）を表示するためのＬＥＤなどを内蔵する電気部品である。
【００１９】
図３は、この実施の形態における本体枠１１１の形状を示す斜視図である。
本体枠１１１は、大きく分けて、外枠を形成する外枠部２００と、外枠部２００により囲まれた内部の空間を仕切る仕切板３００とからなる。
【００２０】
外枠部２００は、直方体の上面を形成する上面部２１０と、直方体の左側面を形成する左側面部２２０と、直方体の右側面を形成する右側面部２３０と、直方体の底面を形成する底面部２４０とを有する。外枠部２００は、前面方向及び後面方向を除いて、本体枠１１１の内側に納める電気部品の周囲を囲む形状である。なお、この例では、誘導灯１００全体の形状が略直方体なので、外枠部２００の形状も前面方向及び後面方向が開口した直方体状であるが、本体枠１１１の内側に納める電気部品の周囲を囲む形状であれば他の形状であってもよい。
【００２１】
仕切板３００（部品枠）は、外枠部２００の左側面部２２０及び右側面部２３０に接続し、外枠部２００に囲まれた内部の空間を複数の空間に仕切る。この例において、仕切板３００は、第一水平部３０１、斜部３０２、垂直部３０３、第二水平部３０４からなる。なお、仕切板３００の形状及び仕切板３００により仕切られた空間の形状は、これに限るものではない。
【００２２】
本体枠１１１は、外枠部２００の上面部２１０に、配線孔２１１及び取付金具固定穴２１２を有する。
配線孔２１１は、天井面取付金具１９０の配線孔１９１に対応する位置に設けられていて、配線孔１９１から引き入れた電源線などを、更に本体枠１１１内に引き入れる穴である。
取付金具固定穴２１２は、天井面取付金具１９０の取付ネジ１９３を通す穴である。
なお、この例では、誘導灯１００が天井面に直付けして使用するものであるため、配線孔２１１及び取付金具固定穴２１２が上面部２１０に設けられているが、配線孔２１１及び取付金具固定穴２１２を他の部位に設けてもよい。例えば、配線孔２１１及び取付金具固定穴２１２を左側面部２２０あるいは右側面部２３０に設け、壁面に直付けして使用する誘導灯１００としてもよい。
【００２３】
また、本体枠１１１は、外枠部２００の底面部２４０に、点検スイッチ穴２４１を有する。
点検スイッチ穴２４１は、点検スイッチ１７０のボタンスイッチやＬＥＤなどを本体枠１１１外部から操作あるいは視認するための穴である。
なお、この例では、誘導灯１００が天井面に直付けして使用するものであるため、点検スイッチ１７０の操作をしたからできるよう、点検スイッチ穴２４１が底面部２４０に設けられているが、点検スイッチ穴２４１を他の部位に設けてもよい。
【００２４】
本体枠１１１は、表示ユニット係合部２５０を有する。表示ユニット係合部２５０は、左側面部２２０の内側に４つある。図示していないが、右側面部２３０の内側にも同様に、表示ユニット係合部２５０が４つある。
表示ユニット係合部２５０は、係合上部２５１及び係合下部２５２を有し、表示ユニット１２０の係合部と係合する形状である。
【００２５】
左側面部２２０内側の４つの表示ユニット係合部２５０のうち、２つは前面側、２つは後面側に配置されている。右側面部２３０内側の表示ユニット係合部２５０も同様なので、合計すると、表示ユニット係合部２５０は、前面側に４つ、後面側に４つある。
前面側の表示ユニット係合部２５０（表示ユニット取付部）は、前面側の表示ユニット１２０の係合部１２２と係合して、本体枠１１１の前面開口を閉塞する位置に、表示ユニット１２０を取り付ける。後面側の表示ユニット係合部２５０（第二表示ユニット取付部）も同様に、後面側の表示ユニット１２０の係合部１２２と係合して、本体枠１１１の後面開口を閉塞する位置に、表示ユニット１２０を取り付ける。
これにより、本体枠１１１の内側に納める電気部品は、すべての方向を囲まれる。
【００２６】
次に、電気部品を、本体枠１１１に取り付ける手段について説明する。
【００２７】
端子台１４０は、本体枠１１１の左側面部２２０内側に設けられた端子台取付部２６０に取り付ける。
端子台取付部２６０（外枠電気部品取付部）は、上押さえ部２６１、上支持部２６２、ネジ止め台２６３、下支持部２６４を有する。
上押さえ部２６１は、左側面部２２０の内側の面から垂直に突出した水平な板状の部分と、水平な板状の部分の先端を下方向に折り曲げた形状を有する部分とからなる、断面Ｌ字状の構造である。
上支持部２６２は、左側面部２２０の内側の面から垂直に突出した水平な板状の部分からなる構造であり、上押さえ部２６１の先端との間に隙間がある。この隙間に、端子台１４０の板状の部分を差し込むことにより、端子台１４０の上端を固定する。
ネジ止め台２６３は、左側面部２２０の内側の面から突出した突出片であり、端子台１４０を固定するためのネジを挿すネジ穴が切られている。ネジ穴の軸は、外枠部２００の前面開口側からネジを回すことが出来るよう、前面開口の方向を向いている。
下支持部２６４は、左側面部２２０の内側の面から垂直に突出した水平な板状の構造であり、端子台１４０の下端を支える。
なお、端子台１４０の形状が端子台取付部２６０と係合する形状でない場合には、端子台取付部２６０と係合する形状の端子台取付金具を用いて、端子台取付金具を取り付けた端子台１４０を、端子台取付部２６０に固定してもよい。以下説明する他の電気部品についても同様である。
【００２８】
バッテリー１５０は、仕切板３００の第二水平部３０４上側に設けられた４つのバッテリー支持部３７１（うち１つは、垂直部３０３の影に隠れているため、図示していない）に取り付ける。
バッテリー支持部３７１（仕切電気部品取付部）は、第二水平部３０４の上側の面から垂直に突出した突出片であり、この上にバッテリー１５０を載せると、バッテリー１５０下部に設けられた係合凹部と係合し、バッテリー１５０が固定される。
なお、バッテリー１５０の左側は、外枠部２００の左側面部２２０が支え、右側は、垂直部３０３が支えるので、バッテリー１５０が左右方向にずれることはない。
また、この例では、バッテリー１５０の前後にバッテリー１５０を支持する構造がないが、表示ユニット１２０を取り付けたのちは、表示ユニット１２０の裏面がバッテリー１５０を支えるので、バッテリー１５０が前後方向にずれることもない。
【００２９】
点灯装置１６０は、仕切板３００の垂直部３０３右側に設けられた点灯装置係合部３８１（仕切電気部品取付部）と、外枠部２００の底面部２４０に設けられた点灯装置係合部２８１（外枠電気部品取付部）とによって、固定する。
点灯装置１６０は、ケースに納められている。点灯装置１６０のケースは、図２に示したように、仕切板３００によって仕切られた空間にぴったりと嵌る形状である。
点灯装置１６０のケースには、点灯装置係合部２８１，３８１と対応する位置に、点灯装置係合部２８１，３８１に係合する係合凹部が設けられている。点灯装置１６０のケースの係合凹部と、点灯装置係合部２８１，３８１とが係合することにより、点灯装置１６０が固定される。
なお、図示していないが、点灯装置１６０のケースからは、電気的接続のための配線が出ている。この配線を引き出すため、仕切板３００の斜部３０２には、配線切欠部３２１が設けられている。
【００３０】
点検スイッチ１７０は、外枠部２００の底面部２４０の内側に設けられた点検スイッチ係合部２９１と、仕切板３００の第二水平部３０４の下側に設けられた点検スイッチ係合部３９１とによって固定する。
点検スイッチ係合部２９１（外枠電気部品取付部）は、底面部２４０の内側から突出した爪状の構造であり、点検スイッチ１７０の左右から突出した係合片を、底面部２４０との間に挟むことにより、点検スイッチ１７０を取り付ける。
点検スイッチ係合部３９１（仕切電気部品取付部）は、点検スイッチ１７０が上方向にずれないように支持する。点検スイッチ１７０には、点検スイッチ穴２４１から操作する下向きのボタンスイッチが設けられているので、このボタンスイッチを操作する際、上向きの力が加わる。点検スイッチ係合部３９１は、点検スイッチ１７０を上から押さえることにより、この力が点検スイッチ係合部２９１に集中して、点検スイッチ係合部２９１が破損するのを防ぐ。
【００３１】
このように、本体枠１１１の内側には、電気部品を取り付けるための様々な構造が設けられている。
【００３２】
誘導灯１００は、本体枠１１１の前面及び後面が、ほぼ全面にわたり開口している。これには、いくつかの理由がある。
【００３３】
第一の理由は、光源の放熱を均等化するためである。
本体枠１１１の前面のみ開口し、後面が閉塞していると、前面側に設置したランプホルダユニット１３０が内蔵する光源は、誘導灯１００の外部に向けて放熱するだけでなく、本体枠１１１内部に向けても放熱できるので、本体枠１１１内部の空気対流などにより放熱効率が上がるのに対し、後面側に設置したランプホルダユニット１３０が内蔵する光源は、誘導灯１００の外部に向けて放熱するだけなので前面側と比較して放熱効率が悪い。
この実施の形態における誘導灯１００は、本体枠１１１の前面及び後面の双方が開口していることにより、前面側も後面側も同じように放熱効率が高くなる。
特に、光源としてＬＥＤを用いる場合、ＬＥＤの温度がＬＥＤの寿命に直結するため、放熱効率が高いほうがよい。また、前面側と後面側とで放熱が均等の場合、同じ設計ならＬＥＤがほぼ同じ温度になり、ほぼ同じ寿命になる。したがって、光源の設計、保守などの面で好ましい。
【００３４】
第二の理由は、メンテナンスの作業を効率化するためである。
誘導灯１００は、点灯装置１６０の故障や、バッテリー１５０の交換などのため、表示ユニット１２０を外してメンテナンスする必要がある。例えば、点灯装置１６０の設計寿命約１２年に対し、バッテリー１５０の設計寿命は約４〜６年であり、バッテリー交換が数回必要である。
本体枠１１１の前面のみ開口し、後面が閉塞していると、前面側の表示ユニット１２０を外さなければ、メンテナンスをすることができない。また、間違って後面側の表示ユニット１２０を外してしまった場合、後面側の表示ユニット１２０を再び取り付け、改めて前面側の表示ユニット１２０を外す必要があるので、表示ユニット１２０の付け外しの回数が増える。これにより、係合部１２２や表示ユニット係合部２５０が破損したり、ランプホルダユニット１３０に接続した配線が引っ張られて外れたりする危険がある。
この実施の形態における誘導灯１００は、本体枠１１１の前面及び後面の双方が開口していることにより、後面側の表示ユニット１２０を外してもメンテナンスをすることができ、作業の効率がよくなる。また、メンテナンスのため表示ユニット１２０を外す総回数が同じだとすると、前面側を外す回数と後面側を外す回数が同じであれば１枚の表示ユニット１２０あたりの付け外し回数は半分になる。これにより、係合部１２２や表示ユニット係合部２５０にかかる負担が減る。
【００３５】
誘導灯１００を小型化するため、前後方向の厚みを薄くすることが考えられる。
誘導灯１００は、本体枠１１１の前面及び後面が双方とも開口しているので、前後方向の厚みを薄くすると、本体枠１１１の幅が狭くなり、電気部品などを取り付けられる部分の面積が減る。
この実施の形態における誘導灯１００は、外枠部２００に囲まれた内部の空間を複数の空間に仕切る仕切板３００を有し、外枠部２００だけでなく、仕切板３００にも電気部品を取り付けるので、多くの電気部品を取り付けることが可能である。
また、仕切板３００により、本体１１０の強度が増し、本体１１０の歪みや反りを防止することもできる。
【００３６】
また、この実施の形態における誘導灯１００は、仕切板３００により仕切られた空間の形状が取り付けられる電気部品の形状に沿った形状である。例えば、第一水平部３０１の下側、垂直部３０３の右側の空間は、点灯装置１６０のケースの形状に沿った形状であり、垂直部３０３の左側、第二水平部３０４の上側の空間は、バッテリー１５０の形状に沿った形状である。また、第二水平部３０４の下側の空間は、点検スイッチ１７０の形状に沿った形状である。
これにより、それぞれの空間に納められる電気部品を、揺れや衝撃から保護できる。
【００３７】
この実施の形態における誘導灯１００において、点灯装置１６０のケースの形状は、左肩が斜めに欠けている。これに沿うように、仕切板３００には斜部３０２がある。
ここで、斜部３０２の真横には、端子台１４０が配置されている。端子台１４０は、電線挿入口１４１及びドライバー挿入口１４２が右方向に向くように配置されている。これは、誘導灯１００の前面側及び後面側の双方から配線作業をできるようにするためである。
上述したように、端子台１４０の電線挿入口１４１に電線を挿入したり、電線挿入口１４１に挿入した電線を抜く作業をするためには、ドライバー挿入口１４２にドライバーの先端を挿入する必要がある。ドライバー挿入口１４２の正面には、仕切板３００があるので、ドライバー挿入口１４２の正面からドライバーを挿入することはできないが、仕切板３００に斜部３０２があることにより、やや斜め上からなら、ドライバー挿入口１４２にドライバーの先端を挿入することができる。
このように、誘導灯１００が内蔵する電気部品の配置の都合などにより、端子台１４０のドライバー挿入口１４２の正面に点灯装置１６０を配置しなければならない場合であっても、斜部３０２が設けられていることにより、配線作業を効率よく行うことができる。
【００３８】
また、この実施の形態における仕切板３００は、主な面が表示ユニット１２０（の表示面）に対してほぼ垂直であり、この主な面に電気部品を取り付ける構造となっている。したがって、バッテリー１５０の交換などの作業を、前面側からも後面側からも同じように行うことができる。
【００３９】
実施の形態２．
実施の形態２について、図４〜図５を用いて説明する。
この実施の形態における誘導灯１００の全体構成は、実施の形態１で説明したものと同様なので、ここでは説明を省略する。
【００４０】
図４は、この実施の形態における本体枠１１１の形状を示す斜視図である。
なお、実施の形態１で説明した本体枠１１１と共通する部分については、同一の符号を付し、ここでは説明を省略する。
【００４１】
本体枠１１１は、更に、バッテリー前面保持部２７２、バッテリー後面保持部２７３、取付板４００を有する。
バッテリー前面保持部２７２及びバッテリー後面保持部２７３は、表示ユニット１２０を取り付けていない状態でもバッテリー１５０が前後方向に動かないように保持する。
バッテリー前面保持部２７２は、外枠部２００の左側面部２２０内側から突出している。バッテリー前面保持部２７２は、バッテリー１５０の形状に沿うように曲がっている。
バッテリー後面保持部２７３は、外枠部２００の左側面部２２０内側と、仕切板３００の垂直部３０３左側との両方に接続し、両者を繋ぐ形状である。バッテリー後面保持部２７３は、バッテリー前面保持部２７２と同様、バッテリー１５０の形状に沿うように曲がっている。
また、バッテリー前面保持部２７２は、バッテリー１５０を取り付けた際、バッテリー１５０の上下方向ほぼ中央の位置を保持するのに対し、バッテリー後面保持部２７３は、バッテリー１５０の上端付近を保持する。
【００４２】
このように、バッテリー前面保持部２７２の形状とバッテリー後面保持部２７３の形状とが異なるのは、バッテリー１５０の交換を前面側からも後面側からもできるようにするためである。
すなわち、前面側からバッテリー１５０を交換する場合、バッテリー１５０を少し上に持ち上げてバッテリー１５０の係合凹部とバッテリー支持部３７１との係合を外し、バッテリー１５０の右側を手前に引くことにより、バッテリー１５０を外す。これに対し、後面側からバッテリー１５０を交換する場合、バッテリー後面保持部２７３は、左側面部２２０と垂直部３０３との両方に接続しているので、同じようにしてバッテリー１５０を外すことはできない。しかし、バッテリー前面保持部２７２とバッテリー後面保持部２７３の位置がずれているので、バッテリー１５０を少し上に持ち上げて係合を外したのち、バッテリー１５０の下側を手前に引くことにより、バッテリー１５０を外すことができる。
【００４３】
なお、バッテリー後面保持部２７３が左側面部２２０と垂直部３０３とを繋ぐ形状なのは、本体枠１１１全体の強度を増すためである。強度が十分であれば、バッテリー前面保持部２７２と同様、左側面部２２０から突出するだけで、垂直部３０３との間を繋がない形状であってもよい。
【００４４】
取付板４００は、仕切板３００の第一水平部３０１及び斜部３０２及び垂直部３０３、外枠部２００の右側面部２３０及び底面部２４０に囲まれた空間の後面側に位置する板状の構造であり、点灯装置１６０を支持する。
取付板４００は、表示ユニット１２０（の表示面）とほぼ平行な面を有する。この例において、取付板４００は単に表示ユニット１２０を支持するだけであるが、外枠部２００や仕切板３００と同様、電気部品を取り付けるための構造を有していてもよい。
取付板４００は、本体枠１１１全体の強度を増す。また、取付板４００は、点灯装置１６０のケースの背面が開口している場合に、メンテナンスなどのために後面側の表示ユニット１２０を外したとき、作業者が点灯装置１６０内部の電気部品に触れるのを防ぐ役割も果たす。更に、取付板４００にも電気部品を取り付けられるので、本体枠１１１内に納められる電気部品の数、種類を更に増やすことができる。
【００４５】
また、この実施の形態における誘導灯１００は、両面灯としてだけでなく、片面灯として使用することもできる。
【００４６】
図５は、この実施の形態における壁面取付部品５００の構造及び使用態様を示す斜視図である。
壁面取付部品５００（壁面取付部）は、後面側の表示ユニット１２０に代えて、誘導灯１００の後面側に取り付ける。
壁面取付部品５００は、配線孔５０１、固定穴５０２、係合部５１２を有する。
配線孔５０１は、電源線などを本体１１０内に引き入れる穴である。
固定穴５０２は、壁面取付部品５００を壁面などに固定するネジなどが通る穴である。
係合部５１２は、本体１１０の壁面取付部品取付部（図示せず）と係合して、壁面取付部品５００を本体１１０に固定する。なお、係合部５１２は、表示ユニット係合部２５０と係合してもよいし、本体枠１１１の他の部分と係合してもよい。
【００４７】
このように、誘導灯１００の後面側に表示ユニット１２０ではなく、壁面取付部品５００を取り付けることにより、誘導灯１００の後面を壁に直付けして使用する片面灯としても使用可能になる。
取付板４００やバッテリー後面保持部２７３があることにより、誘導灯１００は、後面側に表示ユニット１２０を取り付けなくても、部品が外れたり落ちたりする心配がない。
【００４８】
また、片面灯の部品と両面灯の部品とを大部分共通化できるので、製造コストを削減することができる。
【００４９】
実施の形態３．
実施の形態３について、図６〜図７を用いて説明する。
この実施の形態では、他の変形例をいくつか説明する。
なお、実施の形態１で説明した部分と共通する部分については、同一の符号を付し、ここでは説明を省略する。
【００５０】
図６は、この実施の形態における本体枠１１１の形状の変形例を示す斜視図である。
仕切板３００は、実施の形態１または実施の形態２で説明した仕切板３００と同様、外枠部２００の左側面部２２０に一端を接続し、外枠部２００の右側面部２３０に他端を接続しているが、実施の形態１または実施の形態２で説明した仕切板３００のような電気部品に沿った複雑な形状ではなく、単純な平板状である。
仕切板３００は、４つの点灯装置把持部３８２を有する。
点灯装置把持部３８２は、仕切板３００の上側の面からほぼ垂直に立ち上がり、先端が内側を向いた爪状になっている。点灯装置１６０は、点灯装置把持部３８２の爪に係合する係合凹部を有し、点灯装置把持部３８２の間に挟むようにして固定する。
【００５１】
バッテリー把持部３７２及び点検スイッチ把持部３９２は、外枠部２００の底面部２４０からほぼ垂直に立ち上がり、先端が内側を向いた爪状になっている。バッテリー１５０は、バッテリー把持部３７２の爪に係合する係合凹部を有し、バッテリー把持部３７２の間に挟むようにして固定する。また、点検スイッチ１７０も同様に、点検スイッチ把持部３９２の爪に係合する係合凹部を有し、点検スイッチ把持部３９２の間に挟むようにして固定する。
【００５２】
このように、仕切板３００によって仕切られた空間の形状は、電気部品の形状に沿ったものでなくてもよい。これにより、設計変更などにより、電気部品の形状が変わった場合でも、同じ本体枠１１１を使用して誘導灯１００を組み立てることができる。
【００５３】
図７は、この実施の形態における本体枠１１１の形状の他の変形例を示す斜視図である。
仕切板３００は、これまで説明した仕切板３００と異なり、外枠部２００の上面部２１０に一端を接続し、外枠部２００の底面部２４０に他端を接続している。
この例において、仕切板３００は、第一垂直部３０５、水平部３０６、第二垂直部３０７からなる。
第一垂直部３０５は、外枠部２００の上面部２１０に接続している。第一垂直部３０５は、配線孔２１１から電源線などを引き入れる作業がやりやすいように、配線孔２１１の部分を避けて接続している。また、配線孔２１１から引き入れた電源線などは、端子台１４０に接続するので、第一垂直部３０５は、配線孔２１１と端子台１４０との間を仕切らないよう、上面部２１０の右寄りに接続している。
水平部３０６には、点灯装置１６０からの配線を引き出す配線切欠部３２２が設けられれている。
【００５４】
点灯装置１６０は、仕切板３００により仕切られた空間のうち、水平部３０６の下側、第二垂直部３０７の右側の空間に取り付ける。
点灯装置把持部２８２は、右側面部２３０の内側から垂直に突出していて、先端が下側を向いた爪状である。点灯装置把持部２８２は、点灯装置１６０を上側から押さえ、点灯装置１６０が動かないようにする。
点灯装置保持部３８３は、水平部３０６と第二垂直部３０７との接合部分の前面側及び後面側にそれぞれあり、表示ユニット１２０の表示面に平行な三角板状である。点灯装置保持部３８３は、仕切板３００を補強するとともに、点灯装置１６０が前後方向にずれないように保持する。
点灯装置保持部３８４は、第二垂直部３０７と底面部２４０との接合部分の前面側及び後面側にそれぞれあり、表示ユニット１２０の表示面に平行な三角板状である。点灯装置保持部３８４は、点灯装置保持部３８３と同様、仕切板３００を補強するとともに、点灯装置１６０が前後方向にずれないように保持する。
【００５５】
点検スイッチ１７０は、第二垂直部３０７の左側の空間のうち、点検スイッチ把持部３９３の下側の空間に取り付ける。
点検スイッチ把持部３９３は、第二垂直部３０７の左側から垂直に突出し、先端が下側を向いた爪状である。点検スイッチ把持部３９３は、点検スイッチ１７０を上側から押さえ、点検スイッチ１７０が動かないようにする。
【００５６】
バッテリー１５０は、第二垂直部３０７の左側の空間のうち、点検スイッチ１７０より上の空間に取り付ける。
バッテリー支持部２７１は、左側面部２２０の内側から垂直に突出し、水平な板状である。バッテリー支持部２７１の上にバッテリー１５０の左端を載せ、点検スイッチ把持部３９３の上にバッテリー１５０の右端を載せることにより、バッテリー１５０を下から支持する。
バッテリー把持部２７５は、バッテリー支持部２７１と左側面部２２０との接合部分の前面側及び後面側にそれぞれあり、表示ユニット１２０の表示面に平行な三角板状である。バッテリー把持部２７５は、バッテリー支持部２７１がバッテリー１５０の重量に耐えられるよう補強するとともに、バッテリー１５０が前後方向にずれないように保持する。
バッテリー把持部２７６は、左側面部２２０から垂直に突出し、表示ユニット１２０の表示面に平行な板状である。バッテリー把持部２７６は、バッテリー１５０の上端付近、前面側及び後面側にそれぞれある。バッテリー把持部２７６は、バッテリー１５０（の上端）が前後方向にずれないよう保持する。
バッテリー把持部３７３は、第二垂直部３０７の左側から垂直に突出し、先端が下側を向いた爪状である。バッテリー把持部３７３は、バッテリー１５０を上側から押さえ、バッテリー１５０が動かないようにする。
【００５７】
このように、仕切板３００は、外枠部２００のいずれの面に接続していてもよい。なお、仕切板３００は、外枠部２００と接続する部分が少なくとも２以上あるほうが、本体枠１１１の強度が上がるので好ましい。また、仕切板３００は、途中で枝分かれして外枠部２００の３以上の面に接続する構造であってもよい。
仕切板３００が配線孔２１１の設けられた面（この例では上面部２１０）に接続する場合、配線孔２１１の位置を避けて接続するほうが、配線作業の邪魔にならず好ましい。また、仕切板３００によって仕切られた空間のうち端子台１４０を取り付ける空間に、配線孔２１１が面するように、仕切板３００が外枠部２００内の空間を仕切るのが好ましい。
【００５８】
図８は、この実施の形態における本体枠１１１の形状の更に他の変形例を示す斜視図である。
【００５９】
仕切板３００は、第一水平部３０８、第一垂直部３０９、第二垂直部３１０、第二水平部３１１、第二水平部３１２を有する。
第一水平部３０８は、略長方形の平板状で、一端が右側面部２３０の上寄り内側に接続し、上面部２１０及び底面部２４０とほぼ平行に、本体枠１１１の内側の空間のほぼ中央付近まで到達している。第一水平部３０８は、右側面部２３０との接続位置付近に、配線切欠部３２５を有する。
第一垂直部３０９は、略長方形の平板状で、一端が第一水平部３０８の端に接続し、左側面部２２０及び右側面部２３０とほぼ平行に、下方向に延びている。第一垂直部３０９は、ほぼ中央付近に、配線切欠き部３２３を有する。
第二垂直部３１０は、略長方形の平板状で、第一垂直部３０９の延長上、第一垂直部３０９と少し離れた位置にある。
第二水平部３１１は、略長方形の平板状で、一端が左側面部２２０の中央付近内側に接続し、他端が第一垂直部３０９に接続している。第二水平部３１１は、上面部２１０及び底面部２４０とほぼ平行である。
第二水平部３１２は、略長方形の平板状で、一端が左側面部２２０の下寄り内側に接続し、他端が第二垂直部３１０の延長上まで到達している。第二水平部３１２は、上面部２１０及び底面部２４０とほぼ平行である。
仕切板３００により仕切られた空間のうち、第一垂直部３０９の左側かつ第二水平部３１１の上側の空間は、背面側に取付板４００が設けられている。また、第一垂直部３０９および第二垂直部３１０の右側かつ第一水平部３０８の下側の空間にも、背面側に取付板４００が設けられている。
これに対し、第一水平部３０８の上側の空間、第二水平部３１１と第二水平部３１２との間の空間、第二水平部３１２の下側の空間は、背面側が開口している。
また、この例において、仕切板３００には連続していない部分があるが、取付板４００を介して互いに繋がっている。
【００６０】
端子台把持部２６５は、平板状で、左側面部２２０の上端付近内側から、右方向に向かって突出し、先端が下方向に向かって折れ曲がっている。
端子台把持部２６６は、平板状で、第二水平部３１１の左端付近上側から、上方向に向かって突出している。
端子台１４０は、端子台把持部２６５及び端子台把持部２６６と係合する形状であり、手前側からスライドさせて取り付ける。
端子台係止爪２６７は、端子台把持部２６５と端子台把持部２６６との間の左側面部２２０の手前端に位置し、左側面部２２０の内側から右方向に向かって突出している。端子台係止爪２６７は、端子台１４０を端子台把持部２６５及び端子台把持部２６６と係合させて取り付けたとき、端子台１４０と係合し、端子台１４０がスライドして外れるのを防ぐ役割を果たす。
【００６１】
バッテリー上側当接部２７７は、左側面部２２０の中央付近内側から、右方向に向かって突出している。
バッテリー後側当接部２７８は、右方向から見た断面がＬ字状で、左側面部２２０の下寄り後端付近の内側から、右方向に向かって突出している。
バッテリー前側当接部２７９は、右方向から見た断面がＬ字状で、左側面部２２０の下寄り前端付近の内側から、右方向に向かって突出している。
バッテリー受け部３７５は、第二水平部３１２の手前側が上方向に撥ね上がった形状である。
バッテリー１５０は、バッテリー上側当接部２７７、バッテリー後側当接部２７８、バッテリー前側当接部２７９、バッテリー受け部３７５、第二水平部３１２の間に係合する形状であり、ここに係合させて取り付ける。
【００６２】
点検スイッチ保持部３９４は、前方向から見た断面がＬ字状で、第二水平部３１２の左端付近下側から、下方向に向かって突出している。
点検スイッチ保持部３９５は、前方向から見た断面がＬ字状で、第二水平部３１２の右端付近下側から、下方向に向かって突出している。
点検スイッチ１７０は、点検スイッチ保持部３９４、点検スイッチ保持部３９５、底面部２４０の間に係合する形状であり、ここに係合させて取り付ける。
点検スイッチ係止爪２９６は、底面部２４０の手前端付近左寄りに位置し、底面部２４０の上側から上方向に向かって突出している。点検スイッチ係止爪２９６は、点検スイッチ１７０を取り付けたとき、点検スイッチ１７０と係合し、点検スイッチ１７０が外れるのを防ぐ役割を果たす。
【００６３】
点灯回路把持部３８５は、第一垂直部３０９と第二垂直部３１０との間隙の少し右側に位置し、取付板４００の前面から、手前方向に突出している。
点灯回路把持部３８６は、第二垂直部３１０と第二水平部３１２との間隙の少し右側に位置し、取付板４００の前面から、手前方向に突出している。
点灯回路把持部３８５及び点灯回路把持部３８６は、左側に突出した爪を有する。
点灯装置１６０は、後側が開口した略直方体状のケースと、その中に納められた点灯回路とを有する。点灯装置１６０のケースは、第一水平部３０８、第一垂直部３０９、第二垂直部３１０、底面部２４０、右側面部２３０で囲まれた空間にちょうど納まる大きさである。点灯装置１６０をこの空間に取り付けると、点灯装置１６０のケースが第一垂直部３０９及び第二垂直部３１０と、点灯回路把持部３８５及び点灯回路把持部３８６との間に挟まる。点灯装置１６０のケースの内側には、点灯回路把持部３８５及び点灯回路把持部３８６の爪と係合する凹部または凸部が設けられていて、点灯装置１６０が固定される。
【００６４】
このように、取付板４００がある場合には、仕切板３００が断続的であってもよい。断続した仕切板３００の各部は、取付板４００を介して接続し、全体として、本体枠１１１内の空間を複数の空間に仕切ることができる。
【符号の説明】
【００６５】
１００  誘導灯、１１０  本体、１１１  本体枠、１２０  表示ユニット、１２２，１２４，１３２，１３４  係合部、１２３  表示パネル、１２５  突出部、１３０  ランプホルダユニット、１４０  端子台、１４１  電線挿入口、１４２  ドライバー挿入口、１５０  バッテリー、１６０  点灯装置、１７０  点検スイッチ、１９０  天井面取付金具、１９１  配線孔、１９２  固定穴、１９３  取付ネジ、２００  外枠部、２１０  上面部、２１１  配線孔、２１２  取付金具固定穴、２２０  左側面部、２３０  右側面部、２４０  底面部、２４１  点検スイッチ穴、２５０  表示ユニット係合部、２５１  係合上部、２５２  係合下部、２６０  端子台取付部、２６１  上押さえ部、２６２  上支持部、２６３  ネジ止め台、２６４  下支持部、２６５，２６６  端子台把持部、２６７  端子台係止爪、２７１，３７１  バッテリー支持部、２７２  バッテリー前面保持部、２７３  バッテリー後面保持部、２７５，２７６，３７２，３７３  バッテリー把持部、２７７  バッテリー上側当接部、２７８  バッテリー後側当接部、２７９  バッテリー前側当接部、２８１，３８１  点灯装置係合部、２８２，３８２  点灯装置把持部、２９１，３９１  点検スイッチ係合部、２９６  点検スイッチ係止爪、３００  仕切板、３０１，３０８  第一水平部、３０２  斜部、３０３  垂直部、３０４，３１１  第二水平部、３０５，３０９  第一垂直部、３０６  水平部、３０７，３１０  第二垂直部、３１２  第二水平部、３２１〜３２５  配線切欠部、３７５  バッテリー受け部、３８３，３８４  点灯装置保持部、３８５，３８６  点灯回路把持部、３９２，３９３  点検スイッチ把持部、３９４，３９５  点検スイッチ保持部、４００  取付板、５００  壁面取付部品、５０１  配線孔、５０２  固定穴、５１２  係合部。
【図１】
2014139952.tif 000003
【図２】
2014139952.tif 000004
【図３】
2014139952.tif 000005
【図４】
2014139952.tif 000006
【図５】
2014139952.tif 000007
【図６】
2014139952.tif 000008
【図７】
2014139952.tif 000009
【図８】
2014139952.tif 000010